(57)【要約】      （修正有）【課題】アーム挿通開口を閉止する開閉カバーを周辺部品の配置スペースに干渉しない範囲内において開閉させる構造を、出来る限り簡易な構造にて実現させる。【解決手段】サイドパネルＢＰとサイドトリム４０との間のスペースＵに、可動ルーフの引出、収納を行う揺動アーム８１を格納させ、かつ前記サイドトリム４０の上面壁５１に、前記揺動アーム８１の出入り動作を許容するアーム挿通開口５５を形成させたコンバーチブル型車両の揺動アーム格納構造であって、ヒンジ軸６５を中心に回動することにより、前記アーム挿通開口５５を閉止した閉位置から、これを開放する開状態に移行する開閉カバーを、前記サイドトリム上面壁５１に設ける構造とすると共に、前記ヒンジ軸６５を、前記開閉カバーの裏面７０Ｂ側であって前記アーム挿通開口５５の開口幅Ｄ内において設定する。【選択図】図４Ａ
2010006340.tif 000002
【特許請求の範囲】
【請求項１】
車両を形作るサイドパネルとその内側に取り付けられたサイドトリムとの間のスペースに、車両前後方向への揺動動作により可動ルーフの引出、収納を行う揺動アームを格納させ、かつ前記揺動アームの上方を覆う前記サイドトリムの上面壁に、前記揺動アームの設置位置に対応して前記揺動アームの出入り動作を許容するアーム挿通開口を形成させたコンバーチブル型車両の揺動アーム格納構造であって、
車両前後方向に軸線を向けたヒンジ軸を中心に回動して、前記アーム挿通開口を閉止した閉位置から、これを開放する開状態に移行する開放動作を行う開閉カバーを、前記サイドトリム上面壁に設ける構造とすると共に、
前記ヒンジ軸の設置位置を、前記開閉カバーの裏面側であって前記アーム挿通開口の開口幅内に設定することにより、前記回動に伴って前記開閉カバーの一部を前記上面壁の下側に潜り込ませる構造としたことを特徴とする揺動アームの格納構造。
【請求項２】
前記アーム挿通開口を閉止する閉止方向に、前記開閉カバーを付勢する付勢手段を設けたことを特徴とする請求項１に記載の揺動アームの格納構造。
【請求項３】
前記ヒンジ軸を支える支持アームを前記サイドトリムに設けると共に、この支持アームの形状を、前記回動に伴って前記アーム挿通開口の下側に潜り込む前記開閉カバーの回動軌跡を逃がすように屈曲するＵ字形状としたことを特徴とする請求項２に記載の揺動アームの格納構造。
【発明の詳細な説明】
【技術分野】
【０００１】
本発明は、揺動アームの格納構造に関する。
【背景技術】
【０００２】
従来から、車両の天井壁を構成するルーフを開閉自在とした、コンバーチブル型車両が広く知られている。この種のコンバーチブル型車両では、例えば、特許文献１にて開示があるように、車両後部に枢設した一対の揺動アームによって、ルーフの後端部を支持しており、ヒンジを軸に揺動アームをスイングさせることで、ルーフを車両前側に引き出したり、あるいは、後席後方の収納スペースに収納する構成となっている。
【０００３】
さて、この種のコンバーチブル型車両では、後席側方に取り付けられるサイドトリムによって、上記揺動アームを覆ったものがある。このような場合、サイドトリムの上面壁にアーム挿通開口を開口させ、そこを通じて、内部に納めた揺動アームを出入りさせる構成がとられる。そして、下記特許文献２には、ルーフ格納時において、アーム挿通開口を、開閉カバーにて覆うようにしたものが開示されている。このものによれば、カム溝とカムフォロアとからなる案内機構を二組設けており（特許文献２中の図６、図７を参照）、収納されたルーフを引き出す際には、これら両案内機構の相互作用により、開閉カバーを周囲の部品に干渉させないように案内しながら、サイドトリムの内側に収めて、アーム挿通開口を開放させる構成をとっている。
【特許文献１】特開２００１−２３９８３８公報
【特許文献２】欧州特許第１２８８０４６号明細書
【発明の開示】
【発明が解決しようとする課題】
【０００４】
上記のものは、収納されたルーフを引き出す際に、開閉カバーを、サイドトリムの下方に格納させることによって、アーム挿通開口を開放させているが、そのための構造が複雑である。アーム挿通開口を単に開放させるのであれば、サイドトリムの内側に格納するのではなく、ヒンジを軸とする回動動作により開閉カバーを跳ね上げてやればよい。しかしながら、このように、カバーを跳ね上げることでアーム挿通開口を開放させる形式を採用する場合には、跳ね上げた際に、周囲の部品とのクリアランスが十分確保できるように、配慮する必要があった。
本発明は上記のような事情に基づいて完成されたものであって、揺動アームの格納構造に関し、アーム挿通開口を閉止する開閉カバーを周辺部品の配置スペースに干渉しない範囲内において開閉させる構造を、出来る限り簡易な構造にて実現させることを目的とする。
【課題を解決するための手段】
【０００５】
車両を形作るサイドパネルとその内側に取り付けられたサイドトリムとの間のスペースに、車両前後方向への揺動動作により可動ルーフの引出、収納を行う揺動アームを格納させ、かつ前記揺動アームの上方を覆う前記サイドトリムの上面壁に、前記揺動アームの設置位置に対応して前記揺動アームの出入り動作を許容するアーム挿通開口を形成させたコンバーチブル型車両の揺動アーム格納構造であって、車両前後方向に軸線を向けたヒンジ軸を中心に回動して、前記アーム挿通開口を閉止した閉位置から、これを開放する開状態に移行する開放動作を行う開閉カバーを、前記サイドトリム上面壁に設ける構造とすると共に、前記ヒンジ軸の設置位置を、前記開閉カバーの裏面側であって前記アーム挿通開口の開口幅内において設定することにより、前記回動に伴って前記開閉カバーの一部を前記上面壁の下側に潜り込ませる構造とする。
【０００６】
この発明の実施態様として以下の構成とすることが好ましい。
・前記アーム挿通開口を閉止する閉止方向に、前記開閉カバーを付勢する付勢手段を設ける構造としておく。このようにしておけば、付勢手段の作用により、開放された状態にある開閉カバーを、アーム挿通開口を閉止する開状態に自動的に移行させることが可能となる。よって、使い勝手がよい。
【０００７】
・前記ヒンジ軸を支える支持アームを前記サイドトリムに設けると共に、この支持アームの形状を、前記回動に伴って前記アーム挿通開口の下側に潜り込む前記開閉カバーの回動軌跡を逃がすように屈曲するＵ字形状とする。このような構成としておけば、アーム挿通開口を開放させるときに、支持アームに干渉することなく、開閉カバーの一部を上面壁の下側に潜り込ませることが可能となる。
【発明の効果】
【０００８】
本発明によれば、開閉カバーの回動中心となるヒンジ軸を、アーム挿通開口の幅内において設定した。このようにしておけば、アーム挿通開口を開放させた時（可動ルーフを引き出したとき）、開閉カバーの一部は、サイドトリム上面壁の下側に潜り込む。そのため、開放時における、開閉カバーの飛び出し（サイドトリム上面壁からの飛び出し）を抑えることが可能となり、周辺部品の配置スペースに干渉しない範囲内において開閉カバーを開閉できる。また、本発明によれば、開閉カバーをヒンジ軸に軸止させただけの極めてシンプルな開閉構造であり、部品点数が少なくて済むから、コスト効果が高い。
【発明を実施するための最良の形態】
【０００９】
本発明の一実施形態を図１ないし図７によって説明する。
本コンバーチブル型車両３０は２ドアタイプの車両であって、図１にて示すように、室内にフロントシートＦＳと、リアシートＲＳを前後に配置させている。そして、リアシートＲＳの後方に可動ルーフ（不図示）を収納させるルーフ収納部Ｇを設けると共に、リアシートＲＳの側方には、内装材としてサイドトリム４０が、金属製のサイドパネル（車両のボディを構成するもの）ＢＰの内側と上側を覆うようにして取り付けられている。
【００１０】
サイドトリム４０はサイドパネルＢＰに対して一定距離隔てて相対する合成樹脂製の基板部４１と、上面壁５１とから構成されている。上面壁５１は基板部４１とは別の合成樹脂部品によって構成されており、基板部４１の上端部に固定されている。この上面壁５１は図１に示すように車両の前側に向かって先細りしながら延びており、また幅広に形成された上面壁５１の後端５１Ａは、リアシートＲＳのシートバックのやや前側の位置にて終端しており、ルーフ収納部Ｇを覆うように装着されるリアルーフカバー３５の前縁に連続している。
【００１１】
さて、本コンバーチブル型車両３０は、車両後部（リアルーフカバー３５とサイドトリム４０の丁度境となる図１中のＡ部近郊の位置）の左右両側に、可動ルーフの引出、収納を行う駆動装置８０を一対内蔵させている。以下、駆動装置８０の構成を説明する。
【００１２】
駆動装置８０はサイドパネルＢＰとサイドトリム４０とによって囲まれるスペース（図４Ａ参照）Ｕ内に配置されている。尚、図４Ａ中には、サイドパネルＢＰを構成するアウタパネル、インナパネルのうち、インナパネルのみ示してある。駆動装置８０は、ヒンジピン８５を両持ち状態に支持するフレーム９１と、円盤状をなすギヤ８３と、揺動アーム８１などを備える。
【００１３】
揺動アーム８１は図２に示すように緩やかに屈曲しつつ車両後側に延びており、その先端部は可動ルーフに連結されている。係る揺動アーム８１はギヤ８３と共にヒンジピン８５に軸受けされ、ヒンジピン８５を軸として揺動可能とされている。
【００１４】
そして、図４Ａに示すように、ギヤ８３と揺動アーム８１は連結ピン８７によってジョイントされており、付設されるモータ９５の動力によってギヤ８３を回転させると、それと一体的に揺動アーム８１が揺動する結果、ルーフ収納部Ｇに収納された可動ルーフを車両前方に引き出したり、また、引き出した可動ルーフを、ルーフ収納部Ｇに収納できる構成となっている。
【００１５】
また、上記した駆動装置８０の上方を覆うようにして配置されるサイドトリム４０の上面壁５１には、駆動装置８０を構成する揺動アーム８１の位置に対応して、開閉カバー７０により開閉自在とされたアーム挿通開口５５が形成されている（図３参照）。係るアーム挿通開口５５は揺動アーム８１を出入り移動させるものであって、駆動装置８０のやや前方位置から車両後方に延びている。このアーム挿通開口５５は上面壁５１の後端５１Ａに達しており、上面壁５１の後端５１Ａに切り欠かれている（後端５１Ａに開放している）。本実施形態では、アーム挿通開口５５を車両後方に向かうに連れて開口幅が次第に広くなるような台形状に形成させている。
【００１６】
開閉カバー７０は合成樹脂製であって、アーム挿通開口５５に隙間なく嵌合される台形状をなす。本実施形態では、図３に示すように、軸線Ｌが車両の前後方向に延びるヒンジ軸６５を、アーム挿通開口５５の開口幅Ｄの範囲内であって、揺動アーム８１の設置位置に対して車外側にあたる図３中の上側に設定している。そして、本実施形態のものは、以下、詳しく説明するように、このヒンジ軸６５に開閉カバー７０を軸止させている。
【００１７】
サイドトリム４０の上面壁５１の裏面側であって、車外側にあたる図４Ａの右端部側には、支持アーム６１が一体的に形成されている。この支持アーム６１は、上記したヒンジ軸６５を支持するためのものであって、上面壁５１の下方に上側が開口するＵ字型に屈曲（より詳しく言えば、開閉カバー７０の側端７７の回動軌跡Ｒを逃がすように屈曲）している（図４Ｂ参照）。この支持アーム６１は上面壁５１の裏面に連続する基端側は太く形成してあり、また、内周側にはフランジ６２を形成してあり、十分な剛性が確保されている。
【００１８】
そして、支持アーム６１の先端部６３はアーム挿通開口５５の幅内にあって、上面壁５１の上面から下側に距離Ｆだけ入り込んだ位置にてヒンジ軸６５を支えている。
【００１９】
一方、カバー裏面（図４Ａにおいて上側の面がカバー表面７０Ａ）７０Ｂには、上記ヒンジ軸６５に対応させて連結部７５が形成されている。この連結部７５はＣ字型のフック状に形成してあり、ヒンジ軸６５に弾性的に係止可能な構成となっている。以上のことから、ヒンジ軸６５に連結部７５を止めることで、開閉カバー７０をヒンジ軸６５に軸止できる。
【００２０】
そして、アーム挿通開口５５の開口縁には開閉カバー７０の先端部７１に対応して、これを下から受ける受け部５７が形成されている。その一方、ヒンジ軸６５にはコイルスプリング（本発明の「付勢手段」に相当）６７が取り付けられている。このコイルスプリング６７は、開閉カバー７０をアーム挿通開口５５を閉止する閉じ方向に付勢するものであり、一端６７Ａを支持アーム６１に止め、他端６７Ｂを開閉カバー７０の側端７７に止めている。
【００２１】
以上の構成により、開閉カバー７０はコイルスプリング６７によって閉じ方向に付勢されつつ、上記受け部５７に先端部７１を下支えされることで、図４Ａに示す水平な姿勢（以下、閉位置とも言う）に維持され、アーム挿通開口５５を閉止する構成となっている。
【００２２】
そして、閉止した状態にある開閉カバー７０をコイルスプリング６７の付勢力に抗して車外方向に跳ね上げる（具体的には揺動アーム８１が跳ね上げる）ことで、アーム挿通開口５５が開放される構成となっている。
【００２３】
尚、本実施形態のものは、上記ヒンジ軸６５を開閉カバー７０の前部側と後部側の２箇所に設けて、開閉カバー７０の前後を均等に支持しており、カバー７０の開閉が円滑になされる構成となっている。また、開閉カバー７０は、幅方向の両端部７１、７７を下方に折り曲げてあり、開閉の際に加わる力に対して撓むことがないような十分な剛性を備えている。
【００２４】
次に、本実施形態の作用、及び効果について説明する。
本実施形態のものは、可動ルーフをルーフ収納部Ｇに収納させているときには、図２にて示すように、可動ルーフを支持する揺動アーム８１は後傾した姿勢にあって、閉位置にある開閉カバー７０に対して一定距離離間した状態にある。
【００２５】
この状態から、可動ルーフを引き出すべくモータ９５を通電操作すると、駆動装置８０を構成するギヤ８３と共に、揺動アーム８１がヒンジピン８５を軸に揺動する。これにより、揺動アーム８１は図５にて示すように、車両前側に起立するように姿勢を立ててゆき、図中に示す（ａ）の位置にて、開閉カバー７０の裏面７０Ｂに当接する。
【００２６】
その後、揺動アーム８１は開閉カバー７０を下側から押し上げつつ、更に、車両前側に起立するように姿勢を立ててゆく。これより、閉位置にある開閉カバー７０はヒンジ軸６５を中心に車外方向に回動し、アーム挿通開口５５を開放させてゆく。このように、本実施形態のものは、アーム挿通開口５５を閉止した閉位置から、これを開放する開状態に移行する開放動作を、開閉カバー７０は可動ルーフの引き出し動作（揺動アーム８１の揺動）に連動して行う。そして、揺動アーム８１は、開放されたアーム挿通開口５５内に進入しながら、更に揺動を続けてゆく。
【００２７】
その後、揺動アーム８１の揺動が定められた回転量に達し、可動ルーフの引き出しが完了すると、モータ９５に対する通電が断たれる。このとき、揺動アーム８１は図５の示す（ｂ）の位置に至り、図６にて示すようにアーム挿通開口５５から先端をサイドトリム上面壁５１の上方に突き出た状態となる。そして、揺動アーム８１の揺動により引き出された可動ルーフは、例えば、リアシートＲＳの上方に位置し、リアシートＲＳの上方から後方にかけてを、付設される幌と共に覆う状態となる。
【００２８】
また、揺動アーム８１の揺動に伴って開放した開閉カバー７０は、図７にて示すように、先端部７１を揺動アーム８１に突き当てた斜め姿勢となる。ここで、本実施形態のものは、開閉カバー７０の回動中心となるヒンジ軸６５を、アーム挿通開口５５の開口幅Ｄの範囲内に設定（図４Ａ参照）してあるから、開閉カバー７０を車外方向に開放させたときに、開閉カバー７０の一部（ここでは、側端７７）は、上面壁５１の下方に潜り込んだ状態となる。
【００２９】
そのため、開放時における、上面壁５１からの開閉カバー７０の飛び出しを、必要最小限に抑えることが可能となり、開閉カバー７０を、周辺部品の配置スペースに干渉しない範囲内で、開閉できる。例えば、図７中には、開閉カバー７０の周辺に配置される部品としてクォータウインドガラス１００を、シールするウエザストリップ１００があるが、開放時において、開閉カバー７０とウエザストリップ１００との間の隙間Ｓを、十分に確保できる。
【００３０】
次に、引き出した可動ルーフを収納するには、モータ９５を逆方向に回転させてやればよい。これを行うと、図６に示すように、起立状態にある揺動アーム８１はヒンジピン８５を中心に車両後方側に倒れてゆき、可動ルーフはルーフ収納部Ｇに自動的に収納される。そして、揺動アーム８１が車両後方へ揺動すると、開き方向への押し込みが解かれる結果、開放状態にある開閉カバー７０はコイルスプリングの付勢作用によりヒンジ軸６５を中心に閉じ方向に回動し、揺動アーム８１が、図５に示す（ａ）の位置に戻った時点で、アーム挿通開口５５を閉止する閉位置に自動的に復帰する。
【００３１】
以上述べたように、本実施形態では、開閉カバー７０をヒンジ軸６５を中心に回動させてアーム挿通開口５５を開閉させる、という極めてシンプルな開閉構造をとっており、開閉カバー７０及びそれを支持するための付属部品（ヒンジピンなど）を含めたサイドトリム４０全体の部品点数を少なくできる。しかも、ヒンジ軸６５をアーム挿通開口５５の開口幅Ｄ内に設定することで、周辺部品の配置スペースに干渉しない範囲内において、開閉カバー７０を開閉できる。加えて、開閉カバー７０の開閉は人手によらず自動的に行われるから、可動ルーフの引き出し、収納に伴い、ユーザはカバー開閉のための操作を何ら強いられず、この点も効果的である。
【００３２】
＜他の実施形態＞
本発明は上記記述及び図面によって説明した実施形態に限定されるものではなく、例えば次のような実施形態も本発明の技術的範囲に含まれる。
【００３３】
（１）本実施形態では、ヒンジ軸６５に対する開閉カバー６０の取付構造の一例として、開閉カバー６０の連結部７５をＣ字型のフック状に形成し、それを、ヒンジ軸６５に弾性的に係止させる構成を例示した。ヒンジ軸６５に対する開閉カバー６０の取付構造は、本実施形態の例に限定されるものではなく、種々の変形が可能である。例えば、実施形態のものに対して構成を反転させて、開閉カバー６０側にヒンジ軸６５そのものを設ける一方、サイドトリム４０側の支持アーム６１の先端部６３をＣ字型のフック状に形成して両者を弾性係止させるもの、或いはこのような弾性係止を用いずヒンジ軸６５と軸孔との嵌めあいを利用してヒンジ軸６５にして開閉カバー６０を取り付けるものでもよい。
【図面の簡単な説明】
【００３４】
【図１】コンバーチブル型車両の後席回りの斜視図
【図２】駆動装置の構成を示す図
【図３】サイドトリムの平面図
【図４Ａ】図３中のＣ−Ｃ線断面図
【図４Ｂ】ヒンジ軸周辺を拡大した図（図４Ａの一部を拡大した図）
【図５】揺動アームの揺動動作を示す図
【図６】揺動アームを起立させた状態を示す後席回りの斜視図
【図７】開閉カバーの開放動作を示す断面図
【符号の説明】
【００３５】
３０…コンバーチブル型車両
４０…サイドトリム
５１…上面壁
５５…アーム挿通開口
６１…支持アーム
６５…ヒンジ軸
７０…開閉カバー
８１…揺動アーム
９０…コイルスプリング（本発明の「付勢手段」に相当）
Ｌ…軸線
ＢＰ…サイドパネル
Ｕ…スペース
【図１】
2010006340.tif 000003
【図２】
2010006340.tif 000004
【図３】
2010006340.tif 000005
【図４Ａ】
2010006340.tif 000006
【図４Ｂ】
2010006340.tif 000007
【図５】
2010006340.tif 000008
【図６】
2010006340.tif 000009
【図７】
2010006340.tif 000010